(57)【要約】【課題】アドホックモードにおけるチャネル変更を簡便に行う無線ＬＡＮネットワークシステムを提供する。【解決手段】カラオケ装置１０は、通信に係るチャネルの変更を行う場合、電子早見本装置５０に対してチャネルの変更及びその変更に係る時間情報を通知するチャネル変更通知手段８４と、その通知後、通知された時間情報に対応する規定時間が経過する前に、前記変更後のチャネルで電波を送信する無線ＬＡＮ通信制御手段８０とを、含み、電子早見本装置５０は、チャネル変更通知手段８４による通知を受信した場合、前記時間情報に対応する規定時間の間、電波の送受信を無効化する通信無効化手段８８を備えたものであることから、アドホックモードにおいて使用チャネルを変更する場合、人的な操作による煩雑さを解消できることに加え、操作漏れによりチャネルの変更が反映されない装置が発生することを好適に抑制できる。【選択図】図３
2014072736.tif 000002
【特許請求の範囲】
【請求項１】
カラオケコマンダと、該カラオケコマンダの遠隔操作装置として用いられる無線端末とを、備え、アドホックモードによるネットワークグループを構成する無線ＬＡＮネットワークシステムであって、
前記カラオケコマンダは、
通信に係るチャネルの変更を行う場合、前記無線端末に対してチャネルの変更及び該変更に係る時間情報を通知する通知手段と、
該通知手段による通知後、該通知手段により通知された時間情報に対応する規定時間が経過する前に、前記変更後のチャネルで電波を送信する送信手段と
を、含み、
前記無線端末は、
前記通知手段による通知を受信した場合、前記時間情報に対応する規定時間の間、電波の送受信を無効化する通信無効化手段を備えたものである
ことを特徴とする無線ＬＡＮネットワークシステム。
【請求項２】
前記通知手段は、前記時間情報として、前記チャネルの変更を実行する時刻及び該実行に要する時間を通知するものである請求項１に記載の無線ＬＡＮネットワークシステム。
【請求項３】
前記無線端末との間の通信状態の悪化を判定する判定手段を備え、
前記通知手段は、該判定手段により通信状態の悪化が判定された場合、前記無線端末に対してチャネルの変更及び該変更に係る時間情報を通知するものである
請求項１又は２に記載の無線ＬＡＮネットワークシステム。
【請求項４】
請求項１から３の何れか１項に記載の無線ＬＡＮネットワークシステムにおけるカラオケコマンダ。
【請求項５】
請求項１から３の何れか１項に記載の無線ＬＡＮネットワークシステムにおける無線端末。
【発明の詳細な説明】
【技術分野】
【０００１】
本発明は、カラオケコマンダと、そのカラオケコマンダの遠隔操作装置として用いられる無線端末とを、備えた無線ＬＡＮネットワークシステムに関し、特に、アドホックモードにおけるチャネル変更を簡便に行うための改良に関する。
【背景技術】
【０００２】
多数の楽曲のうちから選択される楽曲の演奏出力と併行して、音声入力装置から入力される音声を増幅して出力させるカラオケ装置が知られている。例えば、カラオケボックス等で使用されるカラオケ装置がそれである。斯かるカラオケ装置によれば、予め記憶装置に記憶された多数のカラオケ演奏曲から選択されたカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
近年の通信技術の発達に伴い、カラオケボックス等に設置されたカラオケ装置においても無線通信によりデータの送受信が行われるようになった。すなわち、カラオケコマンダ及びそのカラオケコマンダの遠隔操作装置として用いられる無線端末によりネットワークグループを構成して相互にデータの通信を行う通信ネットワークシステムが広く普及している。斯かる通信ネットワークシステムとしては、よく知られた無線ＬＡＮネットワークシステムが一般的に用いられる。斯かるカラオケコマンダ及び無線端末により構成される無線ＬＡＮネットワークシステムの通信を好適なものとする技術が提案されている。例えば、特許文献１に記載されたカラオケシステムがそれである。
【先行技術文献】
【特許文献】
【０００４】
【特許文献１】特開２０１１−１８０５１５号公報
【発明の概要】
【発明が解決しようとする課題】
【０００５】
前記無線ＬＡＮネットワークシステムにおいては、親機（アクセスポイント）なしに子機同士で通信を行うアドホック（ad-hoc）モードが設定可能とされており、前記カラオケコマンダ及び無線端末により構成される無線ＬＡＮネットワークシステムにも好適に適用される。ここで、前記無線ＬＡＮネットワークシステムにおいて通信状態が悪化した場合、使用チャネルを変更することで通信状態の改善を試みることが一般に行われているが、アドホックモードにおいて周囲に同様のネットワークに含まれる機器が存在する場合、斯かる機器に合わせてチャネルの変更を行ってしまうおそれがある。そこで、アドホックモードにおいて使用チャネルを変更する場合、一旦そのネットワークグループに含まれる装置の電源をオフとするか、或いは無線通信を無効とする等の人的な操作を行っていたが、斯かる操作は煩雑であることに加え、操作に漏れた装置があった場合、その操作に漏れた装置のチャネルに、正しく操作した装置側がチャネルを合わせてしまうことから、チャネルの変更が好適に実行されないという不具合が生じる。前記従来の技術では、斯かる不具合を解消することができなかった。このような課題は、カラオケコマンダ及び無線端末を含む無線ＬＡＮネットワークシステムの改良を意図して本発明者が鋭意研究を継続する過程において新たに見出したものである。
【０００６】
本発明は、以上の事情を背景として為されたものであり、その目的とするところは、アドホックモードにおけるチャネル変更を簡便に行う無線ＬＡＮネットワークシステム、カラオケコマンダ、及び無線端末を提供することにある。
【課題を解決するための手段】
【０００７】
斯かる目的を達成するために、本第１発明の要旨とするところは、カラオケコマンダと、そのカラオケコマンダの遠隔操作装置として用いられる無線端末とを、備え、アドホックモードによるネットワークグループを構成する無線ＬＡＮネットワークシステムであって、前記カラオケコマンダは、通信に係るチャネルの変更を行う場合、前記無線端末に対してチャネルの変更及びその変更に係る時間情報を通知する通知手段と、その通知手段による通知後、その通知手段により通知された時間情報に対応する規定時間が経過する前に、前記変更後のチャネルで電波を送信する送信手段とを、含み、前記無線端末は、前記通知手段による通知を受信した場合、前記時間情報に対応する規定時間の間、電波の送受信を無効化する通信無効化手段を備えたことを特徴とするものである。
【発明の効果】
【０００８】
このようにすれば、前記カラオケコマンダは、通信に係るチャネルの変更を行う場合、前記無線端末に対してチャネルの変更及びその変更に係る時間情報を通知する通知手段と、その通知手段による通知後、その通知手段により通知された時間情報に対応する規定時間が経過する前に、前記変更後のチャネルで電波を送信する送信手段とを、含み、前記無線端末は、前記通知手段による通知を受信した場合、前記時間情報に対応する規定時間の間、電波の送受信を無効化する通信無効化手段を備えたものであることから、アドホックモードにおいて使用チャネルを変更する場合、人的な操作による煩雑さを解消できることに加え、操作漏れによりチャネルの変更が反映されない装置が発生することを好適に抑制できる。すなわち、アドホックモードにおけるチャネル変更を簡便に行う無線ＬＡＮネットワークシステムを提供することができる。
【０００９】
ここで、前記第１発明において、好適には、前記通知手段は、前記時間情報として、前記チャネルの変更を実行する時刻及びその実行に要する時間を通知するものである。このようにすれば、斯かる通知を受信した無線端末において、変更後のチャネルによる通信準備が調うまでの間、好適且つ実用的な態様で電波の送受信を無効化する処理を行うことができる。
【００１０】
また、好適には、前記無線端末との間の通信状態の悪化を判定する判定手段を備え、前記通知手段は、その判定手段により通信状態の悪化が判定された場合、前記無線端末に対してチャネルの変更及びその変更に係る時間情報を通知するものである。このようにすれば、通信状態の悪化に応じて使用チャネルを変更する場合、人的な操作による煩雑さを解消できることに加え、操作漏れによりチャネルの変更が反映されない装置が発生することを好適に抑制できる。
【００１１】
また、前記目的を達成するために、本第２発明の要旨とするところは、前記第１発明の無線ＬＡＮネットワークシステムにおけるカラオケコマンダである。このようにすれば、アドホックモードにおけるチャネル変更を簡便に行うカラオケコマンダを提供することができる。
【００１２】
また、前記目的を達成するために、本第３発明の要旨とするところは、前記第１発明の無線ＬＡＮネットワークシステムにおける無線端末である。このようにすれば、アドホックモードにおけるチャネル変更を簡便に行う無線端末を提供することができる。
【図面の簡単な説明】
【００１３】
【図１】本発明の無線ＬＡＮネットワークシステムが好適に適用されるカラオケ装置の構成を例示するブロック図である。
【図２】図１のカラオケ装置の遠隔操作装置として用いられる無線端末の一例である電子早見本装置の構成を例示するブロック図である。
【図３】図１のカラオケ装置のＣＰＵ及び図２の電子早見本装置のＣＰＵにそれぞれ備えられた制御機能の要部を説明する機能ブロック線図である。
【図４】本発明の無線ＬＡＮネットワークシステムとの対比のために、従来一般的であった無線ＬＡＮネットワークシステムにおけるアドホックモードでの無線ＬＡＮ通信に係るチャネルの変更について説明する図である。
【図５】本実施例の無線ＬＡＮネットワークシステムにおけるアドホックモードでの無線ＬＡＮ通信に係るチャネルの変更について説明する図である。
【図６】本実施例の無線ＬＡＮネットワークシステムにおけるアドホックモードでの無線ＬＡＮ通信に係るチャネルの変更を説明するタイムチャートである。
【図７】図１のカラオケ装置のＣＰＵによるアドホックモードでの無線ＬＡＮ通信に係るチャネル変更制御の一例の要部を説明するフローチャートである。
【図８】図２の電子早見本装置のＣＰＵによるアドホックモードでの無線ＬＡＮ通信に係るチャネル変更制御の一例の要部を説明するフローチャートである。
【発明を実施するための形態】
【００１４】
以下、本発明の好適な実施例を図面に基づいて詳細に説明する。
【実施例】
【００１５】
図１は、本発明の無線ＬＡＮネットワークシステムが好適に適用されるカラオケ装置（カラオケコマンダ）１０の構成を例示するブロック図である。この図１に示すカラオケ装置１０は、中央演算処理装置であるＣＰＵ１２と、読出専用メモリであるＲＯＭ１４と、随時書込読出メモリであるＲＡＭ１６と、記憶装置であるハードディスク１８と、グラフィックスチップ（グラフィックスボード）等の映像処理部２０と、サウンドチップ（サウンドボード）等の音声処理部２２と、操作パネル２４と、通信インターフェイス２６と、ビデオ出力端子２８を介して前記映像処理部２０に接続された映像表示装置であるディスプレイ３０と、オーディオ入力端子３２を介して前記音声処理部２２に接続された音声入力装置であるマイクロフォン３４と、オーディオ出力端子３６を介して前記音声処理部２２に接続された音声増幅装置であるアンプ３８と、そのアンプ３８に接続された音声出力装置であるスピーカ４０と、無線通信部４６とを、備えて構成されている。
【００１６】
前記カラオケ装置１０は、前記通信インターフェイス２６及びネットワーク接続端子４２を介して通信回線４４に接続されており、同様にその通信回線４４に接続されたサーバ等の外部装置との相互間でその通信回線４４を介して情報の通信が可能とされている。前記通信回線４４は、例えばインターネット等である。前記カラオケ装置１０は、好適には、前記通信回線４４を介して図示しないサーバ（ホスト装置）に接続されており、そのサーバから後述する楽曲データや各種情報等の配信を受け付けるものである。すなわち、前記カラオケ装置１０は、好適には、所定の通信回線に接続されてサーバとの間で各種情報の送受信を行う通信カラオケ装置であるが、斯かる通信回線に接続されない非通信型のカラオケ装置等にも本発明は好適に適用される。
【００１７】
前記ＣＰＵ１２は、前記ＲＡＭ１６の一時記憶機能を利用しつつ前記ＲＯＭ１４に予め記憶された所定のプログラムに基づいて電子情報を処理・制御する所謂マイクロコンピュータであり、前記カラオケ装置１０における各種制御を実行する。すなわち、前記操作パネル２４或いは後述する電子早見本装置５０等により所定の楽曲（カラオケ演奏曲）が選曲入力された場合、前記ハードディスク１８から楽曲データを読み出し、楽曲の演奏進行に応じて前記音声処理部２２へ演奏情報を送信する演奏出力制御や、歌詞文字映像や背景映像を生成して前記映像処理部２０へ送信する映像出力制御、及び前記通信回線４２を介した図示しないサーバ等との間の情報通信制御等の基本的な制御に加えて、後述する本実施例のチャネル変更制御を実行する。
【００１８】
前記映像処理部２０は、歌詞文字映像や背景映像を前記ビデオ出力端子２８を介して前記ディスプレイ３０に所定の画面を表示させる制御を行う。前記音声処理部２２は、楽曲データから音楽信号を再生し、前記マイクロフォン３４から前記オーディオ入力端子３２を介して入力される利用者（演奏者）の歌声をミキシングした演奏音を出力する。その演奏音は、前記オーディオ出力端子３６を介して前記アンプ３８に供給されてそのアンプ３８により増幅されて前記スピーカ４０から出力される。
【００１９】
前記操作パネル２４は、前記カラオケ装置１０の利用者が歌いたい楽曲を選択したり、各種設定を行う入力装置である。また、前記カラオケ装置１０は、好適には、前記操作パネル２４に加えて或いはその操作パネル２４の代替として、前記ＣＰＵ１２、映像処理部２０、及び音声処理部２２等を格納するカラオケ装置１０（コマンダ）本体に、タッチ操作入力と映像表示とができるタッチパネルディスプレイを備えたものであってもよい。
【００２０】
前記カラオケ装置１０には、前記操作パネル２４の一部乃至全部の機能を遠隔で実行するための遠隔操作装置として、前記カラオケ装置１０との間で電波による無線通信を行う無線端末としての単数乃至複数（図１では２つ）の電子早見本装置５０ａ、５０ｂ（以下、特に区別しない場合には、単に電子早見本装置５０という）が備えられている。この電子早見本装置５０は、後述する図２に示すような構成を備えることで、前記カラオケ装置１０との間で例えばアドホックモードでの無線ＬＡＮ通信を行い、そのカラオケ装置１０から送信される各種情報を受信すると共に、そのカラオケ装置１０に対して各種情報の送信を行う。前記電子早見本装置５０の操作に応じて、その電子早見本装置５０から送信される信号が前記ＣＰＵ１２に供給されることで、前記カラオケ装置１０の利用者が歌いたい楽曲を選択したり、各種設定を行うための入力が受け付けられるようになっている。
【００２１】
前記無線通信部４６は、前記電子早見本装置５０等の機器との間で電波を介して情報の送受信を行う。例えば、前記電子早見本装置５０等の機器との間でIEEE802.11等の所定の規格に準拠した無線ＬＡＮ通信を行う。斯かる通信を行うことにより、前記電子早見本装置５０等からの選曲入力を受け付けたり、前記カラオケ装置１０からその電子早見本装置５０等へ所定の処理を実行させるための指令を送信したりというように、電波を介して前記カラオケ装置１０と前記電子早見本装置５０等との間における相互の情報のやりとりを行う。すなわち、前記無線通信部４６は、前記カラオケ装置１０の遠隔操作装置として用いられる前記電子早見本装置５０等との間で電波による無線ＬＡＮ通信を行う無線ＬＡＮ通信モジュールである。
【００２２】
図２は、前記カラオケ装置１０の遠隔操作装置として用いられる無線端末の一例である前記電子早見本装置５０の構成を例示するブロック図である。この図２に示すように、前記電子早見本装置５０は、中央演算処理装置であるＣＰＵ５２と、読出専用メモリであるＲＯＭ４４と、随時書込読出メモリであるＲＡＭ５６と、フラッシュＲＯＭ等の記憶部５８と、所定の画像（映像）を表示させると共に、利用者の接触に応じて入力を行うためのタッチパネルディスプレイ６０と、無線通信部７０とを、備えている。前記タッチパネルディスプレイ６０は、そのタッチパネルディスプレイ６０に所定の映像を表示させる表示装置６２と、利用者によるタッチ操作入力を行うタッチパネル６４とを、備えている。
【００２３】
前記無線通信部７０は、前記カラオケ装置１０における前記無線通信部４６との間で無線通信を行う。斯かる通信を行うことにより、前記カラオケ装置１０等に対して選曲入力を行ったり、そのカラオケ装置１０から送信される前記電子早見本装置５０において所定の処理を実行させるための指令を受信したりというように、電波を介して前記カラオケ装置１０等と前記電子早見本装置５０との間における相互の情報のやりとりを行う。すなわち、前記無線通信部７０は、前記カラオケ装置１０等との間で電波による無線ＬＡＮ通信を行う無線ＬＡＮ通信モジュールである。
【００２４】
図３は、前記カラオケ装置１０のＣＰＵ１２及び前記電子早見本装置５０のＣＰＵ５２にそれぞれ備えられた制御機能の要部を説明する機能ブロック線図である。この図３に示す無線ＬＡＮ通信制御手段８０、通信状態判定手段８２、及びチャネル変更通知手段８４は、前記カラオケ装置１０のＣＰＵ１２に、無線ＬＡＮ通信制御手段８６及び通信無効化手段８８は、前記電子早見本装置５０のＣＰＵ５２に、それぞれ機能的に備えられたものである。
【００２５】
前記無線ＬＡＮ通信制御手段８０は、前記カラオケ装置１０による前記無線通信部４６を介しての無線ＬＡＮ通信を制御する。また、前記無線ＬＡＮ通信制御手段８６は、前記電子早見本装置５０による前記無線通信部７０を介しての無線ＬＡＮ通信を制御する。無線ＬＡＮ通信の動作モードとして、親機（アクセスポイント）なしに子機同士で通信を行う（すなわち、各機器における無線ＬＡＮのアダプタ同士が直接通信する形態）アドホックモード（ad-hoc mode）と、全ての子機が親機を経由して通信を行う（すなわち、各機器における無線ＬＡＮのアダプタが、ネットワークを統括するアクセスポイントを介して通信し、互いに直接通信しない形態）インフラストラクチャモード（infrastructure mode）とがある。本発明は、専らアドホックモードでの動作に係るものであるため、以下の説明では、前記無線ＬＡＮ通信制御手段８０、８６による通信制御として、アドホックモードでの無線ＬＡＮ通信制御について説明する。
【００２６】
前記無線ＬＡＮ通信制御手段８０、８６は、アドホックモードでの無線ＬＡＮ通信において、前記カラオケ装置１０や電子早見本装置５０等の端末自身が自律的にルーティングを行うマルチホップ通信制御を行う。また、前記カラオケ装置１０及び前記電子早見本装置５０が、アドホックモードによるネットワークグループを構成する際に、無線ＬＡＮアダプタである前記無線通信部４６、７０において設定されるＥＳＳ−ＩＤ（Extended Service Set Identifier）を一致させる。このＥＳＳ−ＩＤとしては、そのネットワークグループに含まれる（好適には１台の）カラオケ装置１０に固有の識別情報であるシリアルナンバーが好適に用いられる。ここで、好適には、前記無線ＬＡＮ通信制御手段８０、８６による通信には暗号がかけられ、予めその暗号に対応する操作が行われた機器のみが前記ネットワークグループへの参入が許可される。
【００２７】
前記無線ＬＡＮ通信制御手段８０、８６は、前記無線通信部４６、７０による無線ＬＡＮ通信に係るチャネルの設定を行う。例えば、アドホックモードでの無線ＬＡＮ通信に係るチャネルとして、チャネル１〜１４の何れかを設定する。同一のネットワークグループに含まれる機器においては、共通のチャネルが設定される。また、自機の無線ＬＡＮ通信に係るチャネルが設定されておらず、前記無線通信部４６、７０による通信範囲（例えば、数ｍ程度）内にアドホックモードでの無線ＬＡＮ通信を行っている他の機器が存在する場合には、その無線ＬＡＮ通信に係るチャネルを自機の無線ＬＡＮ通信に係るチャネルに設定する。換言すれば、周囲に存在する機器による無線ＬＡＮ通信に係るチャネルに合わせて、自機の無線ＬＡＮ通信に係るチャネルを自動設定する。
【００２８】
前記通信状態判定手段８２は、前記無線通信部４６を介しての無線通信に係る通信状態を判定する。好適には、前記電子早見本装置５０との間のアドホックモードでの無線ＬＡＮ通信に係る通信状態の悪化を判定する。例えば、前記電子早見本装置５０との間の無線ＬＡＮ通信に係る通信速度が低下した場合や、通信エラーを検出した場合等における通信状態の悪化を判定する。具体的には、ビットレート（１秒間に伝送されるビット数）を検出し、そのビットレートが予め定められた閾値未満となった場合、或いは通信エラー検出数が予め定められた閾値を越えた場合等に、前記電子早見本装置５０との間のアドホックモードでの無線ＬＡＮ通信に係る通信状態が悪化したものと判定する。
【００２９】
チャネル変更通知手段８４は、前記無線ＬＡＮ通信制御手段８０によるアドホックモードでの無線ＬＡＮ通信に係るチャネルの変更を行う場合、無線端末である前記電子早見本装置５０に対してチャネルの変更（チャネルを変更する旨及び変更後のチャネル）及びその変更に係る時間情報を通知する。好適には、斯かる時間情報として、前記カラオケ装置１０の無線通信部４６においてチャネルの変更を実行する時刻（開始タイミング）及びその実行に要する時間（予め実験的に求められた変更所要時間）を通知する。また、好適には、前記電子早見本装置５０に対してチャネルの変更を通知するタイミング（チャネル変更通知の送信タイミング）が前記時間情報に対応するものであってもよい。
【００３０】
前記チャネル変更通知手段８４は、好適には、前記通信状態判定手段８２により前記電子早見本装置５０との間の通信状態の悪化が判定された場合、前記電子早見本装置５０に対してチャネルの変更及びその変更に係る時間情報を通知する。すなわち、前記通信状態判定手段８２により前記電子早見本装置５０との間の通信状態の悪化が判定された場合には、その電子早見本装置５０との間の通信状態を改善するためにアドホックモードでの無線ＬＡＮ通信に係るチャネルの変更を実行するのに先立って、前記電子早見本装置５０に対してチャネルの変更及びその変更に係る時間情報を通知する。また、前記チャネル変更通知手段８４は、好適には、前記操作パネル２４や前記電子早見本装置５０等を介して利用者（例えば、カラオケサービスの管理を行うサービスマン）による所定のチャネル変更操作が行われた場合、そのチャネルの変更を実行するのに先立って、前記電子早見本装置５０に対してチャネルの変更及びその変更に係る時間情報を通知する。
【００３１】
前記通信無効化手段８８は、前記チャネル変更通知手段８４による通知を受信した場合、その通知に係る時間情報に対応する規定時間の間、前記無線通信部７０による電波の送受信を無効化する。好適には、前記無線通信部７０の動作を停止させる。換言すれば、前記通信無効化手段８８は、前記チャネル変更通知手段８４による通知を受信した場合、その通知に係る時間情報に対応する規定時間の間、前記無線ＬＡＮ通信制御手段８６による前記無線通信部７０を介しての無線ＬＡＮ通信を停止させる。前記規定時間は、例えば、少なくとも前記チャネル変更通知手段８４により通知されたチャネルの変更を実行する時刻から、その実行に要する時間が経過するまでの時間であり、好適には斯かる時間に予め定められた猶予時間が加算された時間である。また、好適には、前記規定時間が予め前記記憶部５８等に記憶されており、前記チャネル変更通知手段８４による通知を受信した時点からその規定時間が経過するまでの間、前記無線通信部７０による電波の送受信を無効化するものであってもよい。斯かる態様において、前記記憶部５８等に記憶される規定時間は、前記カラオケ装置１０の無線通信部４６におけるチャネル変更の実行に要する時間よりも十分に長い時間が予め実験的に求められて記憶される。前記無線ＬＡＮ通信制御手段８６は、前記規定時間の経過後、前記無線通信部７０による電波の送受信を有効化する。
【００３２】
前記無線ＬＡＮ通信制御手段８０は、前記チャネル変更通知手段８４による通知後、そのチャネル変更通知手段８４により通知された時間情報に対応する規定時間が経過する前に、前記変更後のチャネルで電波を送信する。すなわち、前記無線ＬＡＮ通信制御手段８０は、本実施例における送信手段に対応する。換言すれば、前記無線ＬＡＮ通信制御手段８０は、前記チャネル変更通知手段８４による通知後、その通知に対応して前記通信無効化手段８８により電波の送受信が無効化された前記電子早見本装置５０の無線通信部７０が、前記規定時間の経過後に再び電波の送受信が有効化される前に、前記変更後のチャネルで前記アドホックモードでの無線ＬＡＮ通信に係る電波を送信する。
【００３３】
図４は、本発明の無線ＬＡＮネットワークシステムとの対比のために、従来一般的であった無線ＬＡＮネットワークシステムにおけるアドホックモードでの無線ＬＡＮ通信に係るチャネルの変更について説明する図である。この図４に示すチャネルの変更制御では、先ず、カラオケサービスの管理を行うサービスマン９０の動作に係るＰ１において、そのサービスマン９０の操作により前記電子早見本装置５０ａ、５０ｂの通信（電波の送受信）が無効化される。例えば、前記電子早見本装置５０ａ、５０ｂの電源がオフとされるか、前記無線通信部７０の動作が停止させられる。次に、前記サービスマン９０の動作に係るＰ２において、そのサービスマン９０の操作により、前記カラオケ装置１０の無線通信部４６における無線ＬＡＮ通信に係るチャネルが変更される。次に、前記カラオケ装置１０の動作に係るＰ３において、チャネル変更操作の行われた前記カラオケ装置１０において、前記無線通信部４６における無線ＬＡＮ通信に係る再接続処理が実行され、チャネルの変更が無線ＬＡＮ通信に反映される。次に、前記サービスマン９０の動作に係るＰ４において、前記カラオケ装置１０の無線通信部４６において無線ＬＡＮ通信が起動したことが前記サービスマン９０により確認された後、そのサービスマン９０の操作により前記電子早見本装置５０ａ、５０ｂの通信が有効化される。次に、前記カラオケ装置１０の動作に係るＰ５において、前記カラオケ装置１０のディスプレイ３０等に、チャネルが正しく変更されたことを示す変更結果が表示される。次に、前記サービスマン９０の動作に係るＰ６において、前記カラオケ装置１０のディスプレイ３０等に表示された変更結果により、そのカラオケ装置１０においてチャネルが正しく変更されたことが前記サービスマン９０により確認される。
【００３４】
図４を用いて説明した従来の無線ＬＡＮネットワークシステムにおけるアドホックモードでの無線ＬＡＮ通信に係るチャネルの変更では、種々の問題点が挙げられる。すなわち、Ｐ１、Ｐ２、Ｐ４、及びＰ６が前記サービスマン９０の動作に係る工程となっており、人的な作業が多く操作が煩雑であるという弊害がある。また、例えばＰ１において、人的なミスにより前記電子早見本装置５０ａ、５０ｂの何れか一方の通信の無効化が行われなかった場合、ネットワークグループにおけるチャネルの変更が好適に行われないおそれがある。すなわち、Ｐ１において通信の無効化が行われた側の電子早見本装置５０に関してＰ４における通信の有効化が行われた際、その有効化された電子早見本装置５０が、操作に漏れて無効化が行われなかった電子早見本装置５０における無線ＬＡＮ通信のチャネルに合わせてチャネル設定を行ってしまうことから、変更前のチャネルが再度設定されてしまうおそれがある。このように、図４に示す従来の技術では、人的な操作による煩雑さに加え、操作漏れによりチャネルの変更が反映されない装置が発生するおそれがある。
【００３５】
図５は、前記カラオケ装置１０及び無線端末としての前記電子早見本装置５０ａ、５０ｂを備えた本実施例の無線ＬＡＮネットワークシステム１００におけるアドホックモードでの無線ＬＡＮ通信に係るチャネルの変更について説明する図である。また、図６は、本実施例の無線ＬＡＮネットワークシステム１００におけるアドホックモードでの無線ＬＡＮ通信に係るチャネルの変更を説明するタイムチャートであり、Ｐ１〜Ｐ６は図５において同一の符号で示す各工程に対応している。これら図５及び図６に示す本実施例のチャネルの変更制御では、前記サービスマン９０の手動操作によるチャネル変更の例を示しており、先ず、前記サービスマン９０の動作に係るＰ１において、そのサービスマン９０の操作により、前記カラオケ装置１０の無線通信部４６における無線ＬＡＮ通信に係るチャネルが変更される。次に、前記カラオケ装置１０の動作に係るＰ２において、そのカラオケ装置１０から前記電子早見本装置５０ａ、５０ｂに対してチャネルの変更及びその変更に係る時間情報としてのチャネルの変更を実行する時刻（指定時間１）及びその実行に要する時間（指定時間２）が通知される。次に、前記カラオケ装置１０の動作に係るＰ３において、前記電子早見本装置５０ａ、５０ｂにおける通信の無効化を確認（例えば、電子早見本装置５０ａ、５０ｂから無線の無効通知が受信されたのを確認）した後、所定時間後に前記無線通信部４６における無線ＬＡＮ通信に係る再接続処理が実行され、チャネルの変更が無線ＬＡＮ通信に反映される。併行して、前記電子早見本装置５０ａ、５０ｂの動作に係るＰ４において、前記カラオケ装置１０からの通知を受信後、前記無線通信部７０における通信がその通知に係る指定時間１から指定時間２までの間無効化された後、その指定時間２の経過後に再び前記無線通信部７０における通信が有効化される。次に、前記カラオケ装置１０の動作に係るＰ５において、前記カラオケ装置１０のディスプレイ３０等に、チャネルが正しく変更されたことを示す変更結果が表示される。次に、前記サービスマン９０の動作に係るＰ６において、前記カラオケ装置１０のディスプレイ３０等に表示された変更結果により、そのカラオケ装置１０においてチャネルが正しく変更されたことが前記サービスマン９０により確認される。
【００３６】
図５及び図６を用いて説明した本実施例の無線ＬＡＮネットワークシステム１００におけるアドホックモードでの無線ＬＡＮ通信に係るチャネルの変更では、図４を用いて説明した従来技術における問題点が解消される。すなわち、前記サービスマン９０の動作に係る工程はＰ１及びＰ６のみであり、人的な作業が少なく操作が簡易なものとなっている。また、前記カラオケ装置１０と前記電子早見本装置５０との間の通信状態の悪化判定に応じて自動的にチャネル変更を実行する態様においては、Ｐ１の工程も前記カラオケ装置１０の動作に係るものとなり、更にはＰ６の確認を省けば人的な作業を介在させることなく、前記電子早見本装置５０との間の通信状態を改善するためのチャネル変更制御を実現できる。また、Ｐ２において前記カラオケ装置１０から前記電子早見本装置５０ａ、５０ｂに対してチャネルの変更及びその変更に係る時間情報を送信しているため、通信の無効化が行われない電子早見本装置５０が生じるのを好適に抑制できる。すなわち、図５及び図６に示す本実施例の無線ＬＡＮネットワークシステム１００によれば、人的な操作による煩雑さを解消できることに加え、操作漏れによりチャネルの変更が反映されない装置が発生することを好適に抑制できる。
【００３７】
図７は、前記カラオケ装置１０のＣＰＵ１２によるアドホックモードでの無線ＬＡＮ通信に係るチャネル変更制御の一例の要部を説明するフローチャートであり、所定の周期で繰り返し実行されるものである。
【００３８】
先ず、ステップ（以下、ステップを省略する）ＳＡ１において、前記電子早見本装置５０との間のアドホックモードでの無線ＬＡＮ通信に係る通信状態が悪化したか否かが判断される。このＳＡ１の判断が否定される場合には、それをもって本ルーチンが終了させられるが、ＳＡ１の判断が肯定される場合には、ＳＡ２において、前記電子早見本装置５０に対してチャネルの変更及びその変更に係る時間情報が送信される。次に、ＳＡ３において、前記無線通信部４６におけるアドホックモードでの無線ＬＡＮ通信に係るチャネルの変更（再接続処理）が実行される。次に、ＳＡ４において、ＳＡ２にて送信された時間情報に対応する規定時間が経過する前に、前記変更後のチャネルで前記無線通信部４６によるアドホックモードでの無線ＬＡＮ通信に係る電波の送信が行われる。次に、ＳＡ５において、前記無線通信部４６におけるアドホックモードでの無線ＬＡＮ通信に係るチャネルの変更結果が前記ディスプレイ３０等に表示された後、本ルーチンが終了させられる。以上の制御において、ＳＡ３〜ＳＡ５が前記無線ＬＡＮ通信制御手段８０の動作に、ＳＡ１が前記通信状態判定手段８２の動作に、ＳＡ２が前記チャネル変更通知手段８４の動作に、それぞれ対応する。
【００３９】
図８は、前記電子早見本装置５０のＣＰＵ５２によるアドホックモードでの無線ＬＡＮ通信に係るチャネル変更制御の一例の要部を説明するフローチャートであり、所定の周期で繰り返し実行されるものである。
【００４０】
先ず、ＳＢ１において、前記カラオケ装置１０からアドホックモードでの無線ＬＡＮ通信に係るチャネルの変更及びその変更に係る時間情報が受信されたか否かが判断される。このＳＢ１の判断が否定される場合には、それをもって本ルーチンが終了させられるが、ＳＢ１の判断が肯定される場合には、ＳＢ２において、前記無線通信部７０による電波の送受信が無効化される。次に、ＳＢ３において、前記カラオケ装置１０から受信された通知に係る時間情報に対応する規定時間が経過したか否かが判断される。このＳＢ３の判断が否定される場合には、ＳＢ３の判断が繰り返されることにより待機させられるが、ＳＢ３の判断が肯定される場合には、ＳＢ４において、前記無線通信部７０による電波の送受信が有効化された後、本ルーチンが終了させられる。以上の制御において、ＳＢ１及びＳＢ４が前記無線ＬＡＮ通信制御手段８６の動作に、ＳＢ２及びＳＢ３が前記通信無効化手段８８の動作に、それぞれ対応する。
【００４１】
このように、本実施例によれば、カラオケコマンダとしての前記カラオケ装置１０は、通信に係るチャネルの変更を行う場合、無線端末としての前記電子早見本装置５０に対してチャネルの変更及びその変更に係る時間情報を通知するチャネル変更通知手段８４（ＳＡ２）と、そのチャネル変更通知手段８４による通知後、そのチャネル変更通知手段８４により通知された時間情報に対応する規定時間が経過する前に、前記変更後のチャネルで電波を送信する送信手段としての無線ＬＡＮ通信制御手段８０（ＳＡ３〜ＳＡ５）とを、含み、前記電子早見本装置５０は、前記チャネル変更通知手段８４による通知を受信した場合、前記時間情報に対応する規定時間の間、電波の送受信を無効化する通信無効化手段８８（ＳＢ２及びＳＢ３）を備えたものであることから、アドホックモードにおいて使用チャネルを変更する場合、人的な操作による煩雑さを解消できることに加え、操作漏れによりチャネルの変更が反映されない装置が発生することを好適に抑制できる。すなわち、アドホックモードにおけるチャネル変更を簡便に行う無線ＬＡＮネットワークシステム１００、カラオケコマンダとしてのカラオケ装置１０、及び無線端末としての電子早見本装置５０を提供することができる。
【００４２】
また、前記チャネル変更通知手段８４は、前記時間情報として、前記チャネルの変更を実行する時刻及びその実行に要する時間を通知するものであるため、斯かる通知を受信した電子早見本装置５０において、変更後のチャネルによる通信準備が調うまでの間、好適且つ実用的な態様で電波の送受信を無効化する処理を行うことができる。
【００４３】
また、前記電子早見本装置５０との間の通信状態の悪化を判定する通信状態判定手段８２（ＳＡ１）を備え、前記チャネル変更通知手段８４は、その通信状態判定手段８２により通信状態の悪化が判定された場合、前記電子早見本装置５０に対してチャネルの変更及びその変更に係る時間情報を通知するものであるため、通信状態の悪化に応じて使用チャネルを変更する場合、人的な操作による煩雑さを解消できることに加え、操作漏れによりチャネルの変更が反映されない装置が発生することを好適に抑制できる。
【００４４】
以上、本発明の好適な実施例を図面に基づいて詳細に説明したが、本発明はこれに限定されるものではなく、更に別の態様においても実施される。
【００４５】
例えば、前述の実施例では、前記カラオケ装置１０の遠隔操作装置として用いられる無線端末として、前記電子早見本装置５０を備えた無線ＬＡＮネットワークシステム１００について説明したが、本発明はこれに限定されるものではなく、別の態様の無線ＬＡＮネットワークシステムにも好適に適用される。例えば、前記カラオケ装置１０の遠隔操作装置として用いられる無線端末として、携帯電話機（スマートフォン）やタブレット端末等を備えた無線ＬＡＮネットワークシステムにおける無線ＬＡＮ通信に係るチャネル変更制御にも、本発明は好適に適用されるものである。
【００４６】
その他、一々例示はしないが、本発明はその趣旨を逸脱しない範囲内において種々の変更が加えられて実施されるものである。
【符号の説明】
【００４７】
１０：カラオケ装置（カラオケコマンダ）、５０：電子早見本装置（無線端末）、８０：無線ＬＡＮ通信制御手段（送信手段）、８２：通信状態判定手段（判定手段）、８４：チャネル変更通知手段（通知手段）、８８：通信無効化手段、１００：無線ＬＡＮネットワークシステム
【図１】
2014072736.tif 000003
【図２】
2014072736.tif 000004
【図３】
2014072736.tif 000005
【図４】
2014072736.tif 000006
【図５】
2014072736.tif 000007
【図６】
2014072736.tif 000008
【図７】
2014072736.tif 000009
【図８】
2014072736.tif 000010